(57)【特許請求の範囲】
【請求項１】
圧縮機（１００）をモニタリングする方法であって、
翼通過周波数を求めることと、
前記翼通過周波数上下の複数の周波数に対してパワー表示を求めることと、
複数の所定の時間間隔に対して前記複数の周波数に対する最大パワー表示と最小パワー表示との間の比率を求めることと、
各所定の時間間隔に対する前記比率を解析して前記圧縮機（１００）のサージ状態（３３０）を予測することと、を含む方法。
【請求項２】
翼通過周波数を求める前記ステップは、ロータ速度信号（２２０）を取得して前記ロータ速度信号（２２０）を翼通過周波数に変換することを含む請求項１に記載の方法。
【請求項３】
パワー表示を求める前記ステップは、動圧信号（２３０）を取得することを含む請求項１または２に記載の方法。
【請求項４】
パワー表示を求める前記ステップは、前記動圧信号（２３０）の２乗平均平方根を取得することを含む請求項３に記載の方法。
【請求項５】
複数の所定の時間間隔に対して前記複数の周波数に対する最大パワー表示と最小パワー表示との間の比率を求める前記ステップは、前記比率を約１秒間に１回求めることと、複数の比率をウィンドウにまとめることと、を含む請求項１乃至４のいずれかに記載の方法。
【請求項６】
前記複数の比率をまとめる前記ステップは、前記複数の比率を約８秒のウィンドウにまとめることを含む請求項５に記載の方法。
【請求項７】
前記ウィンドウを更新するステップをさらに含む請求項５に記載の方法。
【請求項８】
各所定の時間間隔に対する前記比率を解析して前記圧縮機（１００）のサージ状態（３３０）を予測する前記ステップは、複数の最大比率を取得して、前記複数の最大比率のうちの１つをサージ表示信号（２４０）として与えることを含む請求項１に記載の方法。
【請求項９】
前記サージ表示信号（２４０）を前記圧縮機（１００）に与えるステップをさらに含む請求項８に記載の方法。
【請求項１０】
高速フーリエ変換解析（２５０）表現を生成するステップをさらに含む請求項１乃至９のいずれかに記載の方法。
【請求項１１】
圧縮機システム（１００）であって、
ロータ（１１０）の速度信号（２２０）を取得するための速度センサ（１５０）と、
複数の動圧信号（２３０）を取得するための圧力センサ（１６０）と、
翼通過周波数を求めることと、
前記翼通過周波数上下の複数の周波数に対してパワー表示を求めることと、
複数の所定の時間間隔に対して前記複数の周波数に対する最大パワー表示と最小パワー表示との間の比率を求めることと、
各所定の時間間隔に対する前記比率を解析して前記圧縮機（１００）のサージ状態（３３０）を予測することと、を実行するように構成されたコントローラ（１７０）と、を備える圧縮機システム（１００）。
【発明の詳細な説明】
【技術分野】
【０００１】
本出願は一般的に、ガス・タービン・エンジンなどに関し、より詳細には、翼通過周波数付近のパワー変化の測定による圧縮機内のサージ前兆検出および保護のためのシステムおよび方法に関する。
【背景技術】
【０００２】
ガス・タービン・エンジンの圧縮機圧力比は一般的に、不安定な圧縮機動作を回避するために、サージ／失速限界から離れている事前に指定されたマージンに設定される（サージ・マージンまたは失速マージンと言われる）。パワー発生および他の目的のために用いられるガス・タービン・エンジンでは、システム効率を高くするためには一般的に、圧縮機圧力比を高くする必要がある。しかし、このように圧力比を高くすることは、運転上のサージ／失速マージンを小さくする必要が、したがってサージまたは失速状態が現れ始めた場合の応答時間を短くする必要がある場合がある。
【０００３】
圧縮機のサージまたは失速検出に対する１つのアプローチは、圧縮機を通る空気流および圧力上昇を測定することによって圧縮機の調子をモニタリングすることである。これらの圧力変化は、いくつかの異なる原因（たとえば不安定燃焼、旋回失速、および圧縮機自体上でのサージ事象など）に起因すると考えられる。これらの圧力変化を求めるために、圧縮機を通る圧力上昇の大きさおよび変化率をモニタリングする場合がある。しかし、このアプローチには、旋回失速またはサージを予測する能力はない。また、このアプローチでは、このような事象に積極的に対処するためにリード・タイムが十分な状態で制御システムに情報をリアル・タイムで提供することができない場合がある。
【先行技術文献】
【特許文献】
【０００４】
【特許文献１】米国特許６，５３２，４３３号明細書
【発明の概要】
【発明が解決しようとする課題】
【０００５】
したがって、サージ事象の前兆の検出および保護を行なうためのシステムおよび方法の改善が求められている。このようなシステムおよび方法によって、適切に応答して圧縮機に対する損傷を回避するためにリード・タイムが十分な状態で、実際のサージ事象自体の前に圧縮機内でのサージ可能性の程度が求められる場合がある。
【課題を解決するための手段】
【０００６】
したがって、本出願では、圧縮機をモニタリングする方法を提供する。本方法は、翼通過周波数を求めるステップと、翼通過周波数上下のいくつかの周波数に対してパワー表示を求めるステップと、いくつかの所定の時間間隔に対して周波数に対する最大パワー表示と最小パワー表示との間の比率を求めるステップと、各所定の時間間隔に対する比率を解析して圧縮機のサージ状態を予測するステップと、を含んでいても良い。
【０００７】
本出願ではさらに、圧縮機システムを提供する。本システムは、ロータの速度信号を取得するための速度センサと、いくつかの動圧信号を取得するための圧力センサと、速度信号から翼通過周波数を求めて、翼通過周波数上下のいくつかの周波数に対する動的なパワー信号に基づいてサージ表示信号を求めるように構成されたコントローラと、を備えていても良い。
【０００８】
本出願ではさらに、圧縮機内のサージ状態をモニタリングする方法を提供する。本方法は、ロータ速度信号に基づいて翼通過周波数を求めるステップと、いくつかの動圧信号に基づいて翼通過周波数上下のいくつかの周波数に対してパワー表示を求めるステップと、所定の時間間隔に対して周波数に対する最大パワー表示と最小パワー表示との間の比率を求めるステップと、各所定の時間間隔に対する比率を解析して圧縮機のサージ状態を予測するステップと、サージ表示信号を圧縮機に与えるステップと、を含んでいても良い。
【０００９】
本出願のこれらおよび他の特徴および改善は、以下の詳細な説明を複数の図面および添付の請求項とともに検討したときに、当業者に明らかになる。
【図面の簡単な説明】
【００１０】
【図１】既知の圧縮機の一部の断面図である。
【図２】本明細書で説明される場合がある圧縮機モニタリング・システムの概略図である。
【図３】本明細書で説明される場合がある圧縮機モニタリング用の高速フーリエ変換解析を示すフロー・チャートである。
【図４】翼通過周波数付近のパワー変化の高速フーリエ変換表現である。
【発明を実施するための形態】
【００１１】
一般的に述べて、非常に効率的なガス・タービン・エンジンにおいては、高い電力出力が比較的低コストで生成される。したがって、このような非常に効率的なガス・タービン・エンジン内の圧縮機は、高い燃焼温度に対応するサイクル圧力比が生じるように運転される場合がある。前述したように、圧縮機を用いて高い燃焼温度または高いサイクル圧力比を生じさせると、圧縮機は空力不安定（たとえば、失速および／またはサージ状態など）を受ける場合がある。圧縮機がこのような失速および／またはサージ状態を受けると、圧縮機およびガス・タービン・エンジン全体の構成部品および運転効率に影響を与える場合がある問題が生じることがある。
【００１２】
次に、図面（複数の図の全体に渡って同様の数字は同様の要素を指す）を参照して、図１は、本明細書で説明される場合がある圧縮機システム１００の一部を示す。圧縮機システム１００はロータ１１０およびステータ１２０を備えていても良い。空気の流れ１３０は、ロータ１１０とステータ１２０との間で次第に圧縮される場合がある。通常、このような圧縮機システム１００では、多段圧縮として、ステータ１２０を、空気の流れ１３０を用意しおよび／またはロータ１１０から後続のロータもしくはプレナムへ再び向けるように構成しても良い多段圧縮を用いても良い。本明細書では他のタイプの圧縮機構成を用いても良い。
【００１３】
圧縮機システム１００はまた、内部にいくつかのセンサ１４０を備えていても良い。センサ１４０は、失速および／またはサージ状態を示す場合があるいくつかの圧縮機動作パラメータを検知しても良い。具体的には、センサ１４０は、たとえば、ロータ１１０の回転速度を検出するように構成された速度センサ１５０と、ロータ１１０の周りで圧力を動的に検出するように構成された圧力センサ１６０と、を含んでいても良い。本明細書では、他のタイプのセンサ１４０および他のタイプの動作パラメータを使用し検出しても良い。
【００１４】
図２に示すのは、本明細書で説明される場合があり、圧縮機システム１００とともに用いても良い圧縮機コントローラ１７０である。圧縮機コントローラ１７０は、フィルタ１８０、記憶媒体１９０、信号プロセッサ２００、およびサージ表示器２１０を備えていても良い。本明細書では他の構成部品を用いても良い。コントローラ１７０を、速度センサ１５０と通信状態にさせてロータ速度信号２２０を得るようにしても良く、また圧力センサ１６０と通信状態にさせて動圧信号２３０を得るようにしても良い。本明細書では、他のタイプの信号を用いても良い。
【００１５】
フィルタ１８０は、これらの信号２２０、２３０を受信するとともに、検知したパラメータから望ましくない成分（たとえば、高周波ノイズなど）を取り除くように構成しても良い。本明細書では、他のタイプのフィルタリングを用いても良い。後に詳細に説明するように、フィルタリングされたデータをある時間に渡ってバッファリング（または記憶）することを、移動ウィンドウの間のサンプル・レートに渡って行なっても良い。一例では、移動ウィンドウは約８（８）秒間の時間に渡って生じる。本明細書では、他のウィンドウ長さを用いても良い。
【００１６】
記憶媒体１９０を、フィルタリングおよび／またはバッファリングされたデータを記憶するように構成しても良い。信号プロセッサ２００を、記憶媒体１９０に結合しても良く、またバッファリングされたデータの高速フーリエ変換解析を算出してサージの可能性を求めるように構成しても良い。後に詳細に説明するように、信号プロセッサ２００は、ロータ速度信号２２０を翼通過周波数に変換する速度周波数コンバータ２０２を備えていても良い。翼通過周波数は、機械速度とローター翼の数との積であっても良い。信号プロセッサ２００はまた、２乗平均平方根（ＲＭＳ）コンバータ２０６を備えていても良い。ＲＭＳコンバータ２０６は、動圧信号２３０の２乗平均平方根を算出しても良い。サージ表示器２１０を、信号プロセッサ２００に結合しても良く、またサージの可能性が求まったことに応答してサージ表示信号２４０を発生させるように構成しても良い。サージ表示信号２４０を、圧縮機システム１００全体に結合して、サージの可能性が検出された場合の是正処置（たとえばシャットダウン）および他の処置を図っても良い。
【００１７】
図３に示すのは、一つにはロータ速度信号２２０および動圧信号２３０に基づいてサージ表示信号２４０を求めるために用いても良い高速フーリエ変換解析２５０を示すフロー・チャートである。ブロック２６０において、翼通過周波数を、速度センサ１５０によって生成され速度周波数コンバータ２０２によって変換されるロータ速度信号２２０から求める。ブロック２７０では、パワー表示を、動圧信号２３０を介して、翼通過周波数上下の周波数帯域に対して求める。パワー表示は、２乗平均平方根コンバータ２０６によって求められる動圧信号２３０の２乗平均平方根であっても良い。この例では、翼通過周波数上下の約２４〜約４０ヘルツの周波数帯域に対して、パワー表示を求めても良い。本明細書では、他の範囲を用いても良い。これらの周波数帯域におけるパワー表示を、約１秒間に１回モニタリングしても良い。本明細書では、他のモニタリング・レートを用いても良い。
【００１８】
ブロック２８０では、約８（８）秒間の間の各周波数に対してパワー表示のウィンドウを集めても良い。したがって、このウィンドウは、翼通過周波数の周りの各周波数におけるパワーの８（８）秒間の時間履歴である。ブロック２９０では、最小パワー表示および最大パワー表示を、ウィンドウ内の各周波数に対して求める。ブロック３００において、最大パワー表示対最小パワー表示の比率を各周波数に対して求める。ブロック３１０では、比率のうち最大比率を求める。その結果、大きさに応じて、最大比率はサージ表示信号２４０として機能する場合がある。ブロック３２０では、ウィンドウを約１秒あたり１回のレートで更新しても良い。他の更新レートを用いても良い。
【００１９】
図４に示すのは、翼通過周波数付近のパワー変化の高速フーリエ変換解析２５０の表現である。約ｔ＝１２００秒において、比率のうち最大比率は、実質的に、先行する時間枠（ｔ＝０〜１２００秒）の約５０％〜４００％のオーダーで増加している。図示するように、比率のうち最大比率の発生が頻繁になるほど、パワーの相対的変化があった場合にサージの可能性がより強く存在し得る。加えて、比率の大きさの違いが大きくなるほど、パワーの相対的変化があった場合にサージの可能性がより強く存在し得る。この場合、サージ３３０が約１６００秒で起こっている。ここでは、比率のうちの最大比率の大きさが、直前の４００秒間の先行する比率のうちの最大比率の大きさの２倍超だけ大きくなっている。大きさに応じて、これらのスパイクのうちの１つ（またはそれらの組み合わせ）が、サージ表示信号２４０として機能しても良い。
【００２０】
このように、高速フーリエ変換解析２５０によって、圧縮機システム１００のコントローラ１７０の、所望の速度設定点を維持する能力が測定される。サージ状態が現れ始めると、コントローラ１７０は、設定点を維持する能力を失う場合がある。これは、翼通過周波数付近においてパワーの変化が大きくなることによって示される。こうして、高速フーリエ変換解析２５０によって、圧縮機システム１００の安定性（または安定性が無いこと）が示される。したがって、サージ表示信号２４０を適時に用いることによって、潜在的な圧縮機損傷が回避される場合がある。
【００２１】
優位に、圧縮機動作パラメータを長期に渡って高速フーリエ変換解析することによって、現在の解析および操作手順の欠点が軽減される場合がある。さらに、高速フーリエ変換解析は、異常な圧力変動を正確に捕らえるのに役立つ場合があり、したがって、スケーリング因子などを用いることによる誤った圧力サージを最小限にする場合がある。また、これら前述の優位性は、圧縮機がサージを受けるかまたは失速する前にサージおよび／または失速状態の始まりを正確に予測するのに有用な場合があり、したがって、予測に基づいて動作パラメータを適切に制御することによって圧縮機を損傷から保護する場合がある。
【００２２】
前述したことは、本出願のある特定の実施形態のみに関しており、本明細書において、多数の変形および変更を、以下の請求項によって規定される本発明の一般的な趣旨および範囲ならびにその均等物から逸脱することなく当業者が行なっても良いことは明らかである。
【図１】
0005977503.tif 000002
【図２】
0005977503.tif 000003
【図３】
0005977503.tif 000004
【図４】
0005977503.tif 000005